(57)【要約】【課題】見本表示ラベルをダミー本体に簡単に、見栄えよく取り付けることができるタバコ見本を提供する。【解決手段】タバコ見本１は、ダミー本体２と、このダミー本体２に取り付けられる屈曲あるいは湾曲可能な見本表示ラベル３とで構成されている。ダミー本体２は、左右の縦壁２ａ、２ａと上下の横壁２ｂ、２ｂとからなる周壁Ｗを備えて、前方および後方に開放している。周壁Ｗは、その内面に、掛止突起２ｃを備える。前記見本表示ラベル３は、前記タバコ見本１の前面を形成する前部３ａと、その前部３ａから延設されるとともに、曲げられて周壁Ｗの内面に当接する延設部Ｅとを備える。前記延設部Ｅには、前記掛止突起２ｃに掛け止められる被掛止孔３ｄが備わる。【選択図】  図１
2004185304.tif 000002
【特許請求の範囲】
【請求項１】
タバコが包装される包装体を模したタバコ見本であって、
ダミー本体と、そのダミー本体に取り付けられる湾曲あるいは屈曲可能な見本表示ラベルと、を有し、
前記ダミー本体は、左右の縦壁と上下の横壁とからなる周壁を備えて、前方および後方に開放しており、
前記両縦壁の内面、または／および、前記両横壁の内面には、掛止突起が設けられ、
前記見本表示ラベルは、前記タバコ見本の前面を形成する前部と、その前部から曲げられるように延設されるとともに、前記周壁の内面に当接する延設部とを備え、
前記延設部には、前記掛止突起によって掛け止められる、被掛止孔が設けられることを特徴とするタバコ見本。
【請求項２】
前記周壁の前端は、前記見本表示ラベルの前部よりも後方に位置することを特徴とする、請求項１に記載のタバコ見本。
【請求項３】
前記周壁の前端面は、前記周壁の内面から外面に向かうにつれて、前記周壁の後端方向へ後退する傾斜面となっていることを特徴とする、請求項１または２に記載のタバコ見本。
【請求項４】
前記掛止突起は、前記両縦壁と前記両横壁とのいずれか一方の周壁の内面に設けられ、
前記両縦壁と前記両横壁とのいずれか他方の周壁の内面に、前記延設部の先端を受け止める受止部が設けられることを特徴とする、請求項１ないし３のいずれか１項に記載のタバコ見本。
【請求項５】
前記受止部には、前記延設部の先端が差し込まれる差込部が、前記周壁の内面に沿って設けられることを特徴とする、請求項４に記載のタバコ見本。
【請求項６】
前記延設部は、その延設された先端部の少なくとも一部が、前記周壁の後方あるいは内方に突出して設けられることを特徴とする、請求項１ないし５のいずれか１項に記載のタバコ見本。
【請求項７】
前記ダミー本体は、透明体からなることを特徴とする、請求項１ないし６のいずれか１項に記載のタバコ見本。
【発明の詳細な説明】
【０００１】
【発明の属する技術分野】
本発明は、タバコが包装される包装体を摸したタバコ見本に関するものである。
【０００２】
【従来の技術】
従来、タバコが包装される包装体としての箱を模したタバコ見本として、例えば、図９に示されるものがあった。このタバコ見本１０１は、屈曲可能な見本表示ラベル１０２が、ダミー本体となるホルダー１３の外面に巻き付けられていた。そして、見本表示ラベル１０２は、後端部が、ホルダー１０３と、ホルダー１０３に後方から組み付けられる固定部材１０４とに挟まれるようにして固定されていた（特許文献１参照）。
【０００３】
【特許文献１】
特開２００１−８３８８１号公報
【０００４】
【発明が解決しようとする課題】
ところで、前記従来のタバコ見本１０１においては、見本表示ラベル１０２をホルダー１０３に取り付けるにあたっては、別途、固定部材１０４を用いなければならず、その取り付けが面倒であり、しかも、コスト高の原因にもなっていた。
【０００５】
この発明は、上記した従来の欠点を解決するためになされたものであり、その目的は、見本表示ラベルをダミー本体に簡単に取り付けることができるとともに、安価なタバコ見本を提供することである。
【０００６】
また、他の目的は、前部の形状が異なる見本表示ラベルに対して、同一のダミー本体を共通して用いることができ、かつ、見栄えのよいタバコ見本を提供することである。
【０００７】
【課題を解決するための手段】
この発明に係るタバコ見本は、前記目的を達成するために、次の構成からなる。すなわち、
請求項１に記載の発明に係るタバコ見本は、タバコが包装される包装体を模したタバコ見本であって、ダミー本体と、そのダミー本体に取り付けられる湾曲あるいは屈曲可能な見本表示ラベルと、を有する。ここで、前記ダミー本体は、左右の縦壁と上下の横壁とからなる周壁を備えて、前方および後方に開放しており、前記両縦壁の内面、または／および、前記両横壁の内面には、掛止突起が設けられる。一方、前記見本表示ラベルは、前記タバコ見本の前面を形成する前部と、その前部から曲げられるように延設されるとともに、前記周壁の内面に当接する延設部とを備え、前記延設部には、前記掛止突起によって掛け止められる、被掛止孔が設けられる。
【０００８】
これにより、見本表示ラベルは、ダミー本体の前方または後方のどちらかの開放部分から挿入され、見本表示ラベルの延設部に備わる被掛止孔が、ダミー本体の周壁に備わる掛止突起に掛け止められることで、ダミー本体に取り付けられる。こうして、見本表示ラベルは、ダミー本体に取り付けられ、その見本表示ラベルの前部がタバコ見本の前面を形成する。ここで、見本表示ラベルの延設部が周壁の内面に当接することで、その見本表示ラベルの前部および延設部の形状が保持される。また、ダミー本体は、前方が開放されているので、見本表示ラベルの前部が、ダミー本体に遮られることがなく、視認性に優れたタバコ見本を提供することができる。
【０００９】
また、請求項２に記載の発明に係るタバコ見本のように、請求項１に記載のタバコ見本において、前記周壁の前端は、前記見本表示ラベルの前部よりも後方に位置するように備えられることが望ましい。これにより、正面からタバコ見本を見たときに、ダミー本体が目立たなくなるので、タバコ見本の見栄えが優れたものになる。また、ダミー本体は、前方が開放され、かつ、その前端が見本表示ラベル前部より後方にあることで、前部の形状が異なる見本表示ラベルを、同一のダミー本体に、見栄えよく取り付けることが可能である。例えば、前部が平面でかつその側端部において湾曲される見本表示ラベル、あるいは、前部が平面でかつその側端部において屈曲される見本表示ラベルのいずれかを、ダミー本体に取り付ける場合においても、それぞれ別の形状からなる専用のダミー本体を用意することなく、同一の形状からなる共通のダミー本体に、見栄えよく取り付けることが可能である。
【００１０】
また、請求項３に記載の発明に係るタバコ見本のように、請求項１または２に記載のタバコ見本において、前記周壁の前端面は、前記周壁の内面から外面に向かうにつれて、前記周壁の後端方向へ後退する傾斜面となっていてもよい。このように周壁の前端面に傾斜をつけることで、周壁の厚みがそれほど意識されず、ダミー本体が目立たなくなるので、タバコ見本の見栄えが一層優れたものになる。
【００１１】
また、請求項４に記載の発明に係るタバコ見本のように、請求項１ないし３のいずれか１項に記載のタバコ見本において、前記掛止突起は、前記両縦壁と前記両横壁とのいずれか一方の周壁の内面に設けられ、前記両縦壁と前記両横壁とのいずれか他方の周壁の内面に、前記延設部の先端を受け止める受止部が設けられることが望ましい。
【００１２】
これにより、見本表示ラベルは、縦壁か横壁のどちらか一方に設けられた掛止突起を、見本表示ラベルの延設部に設けられた被掛止孔に掛け止めして、ダミー本体に取り付けられる。そして、被掛止孔が設けられない延設部の先端は、縦壁か横壁のどちらか他方に設けられた受止部に受け止められる。このように、掛け止められない延設部であっても、その先端が受止部によって受け止められるので、ダミー本体からずれることがない。したがって、見本表示ラベルの形状は、確実に保持される。
【００１３】
また、請求項５に記載の発明に係るタバコ見本のように、請求項４に記載のタバコ見本において、前記受止部には、前記延設部の先端が差し込まれる差込部が、前記周壁の内面に沿って設けられてもよい。こうして、見本表示ラベルの延設部先端は、受止部の差込部に差し込まれる。このため延設部先端が受け止め部から外れることなく保持されるので、延設部は、周壁に充分当接することができる。したがって、見本表示ラベルの形状は、一層確実に保持される。
【００１４】
また、請求項６に記載の発明に係るタバコ見本のように、請求項１ないし５に記載のタバコ見本において、前記延設部は、その延設された先端部の少なくとも一部が、前記周壁の後方あるいは内方に突出して設けられることが望ましい。これにより、その突出部分を引っ張ることで、見本表示ラベルをダミー本体から容易に取り外すことができる。
【００１５】
また、請求項７に記載の発明に係るタバコ見本のように、請求項１ないし６のいずれか１項記載のタバコ見本において、前記ダミー本体は、透明体からなってもよい。これにより、見本表示ラベルの延設部が、ダミー本体の周壁を通して視認される。
【００１６】
【発明の実施の形態】
以下、本発明に係るタバコ見本の実施の形態を図面に基づいて説明する。
【００１７】
図１ないし図５は、本発明に係るタバコ見本の一実施の形態を示す。図中符号１は、タバコが包装される包装体としての箱を模したタバコ見本であって、例えば、自動販売機内に陳列されるものである。このタバコ見本１は、例えば略直方体形状をしており、ダミー本体２と、このダミー本体２に取り付けられる屈曲あるいは湾曲可能な見本表示ラベル３とで構成されている。
【００１８】
ダミー本体２は、例えば、アクリル樹脂あるいはポリカーボネート樹脂等の透明な合成樹脂材料等からなる。そして、ダミー本体２は、図３、図４に示すように、左右の縦壁２ａ、２ａと上下の横壁２ｂ、２ｂとからなる周壁Ｗを備えて、前方および後方に開放した、枠形状をしている。また、ダミー本体２の周壁Ｗの前端面２ｅ、２ｅは、図２に明示するように、周壁Ｗの内面から外面に向かうにつれ周壁Ｗの後端方向に後退するような傾斜面となっている。そして、周壁Ｗにおける、左右の縦壁２ａ、２ａと上下の横壁２ｂ、２ｂとのいずれか一方、あるいは、両方の内面、好ましくはその内面の後部には、見本表示ラベル３を掛け止める掛止突起２ｃ、２ｃが設けられる。図示実施の形態においては、掛止突起２ｃは、円柱部と、その円柱部の先端に前記円柱部よりも径が大となる半球部とからなる、先端に張り出しを有した形状をしており、その掛止突起２ｃは、いずれか一方の周壁Ｗである上下の横壁２ｂ、２ｂの内面の後部に、それぞれ２個ずつ設けられている。もちろん、掛止突起２ｃは、左右の縦壁２ａ、２ａ又は上下の横壁２ｂ、２ｂのいずれか一方の内面に、あるいは、左右の縦壁２ａ、２ａおよび上下の横壁２ｂ、２ｂの両方の内面に、１個ずつ設けられてもよいし、また、３個以上の複数個ずつ設けられてもよい。
【００１９】
また、掛止突起２ｃが設けられない、いずれか他方の周壁Ｗである左右の縦壁２ａ、２ａには、その内面、好ましくはその内面の後部もしくは後端部に、見本表示ラベル３における後述する延設部Ｅの先端を受け止める受止部２ｄ、２ｄが、前記縦壁２ａ、２ａの長手方向に沿って延びるように設けられている。そして、受止部２ｄには、前記延設部Ｅの先端が差し込まれる差込部Ｓが、前記周壁Ｗとしての縦壁２ａの内面に沿って設けられる。図示実施の形態においては、受止部２ｄは、横断面多角形、詳しくは扁平状六角形であって、縦壁２ａの内面の後端部に、その受止部２ｄの後端面と縦壁２ａの後端面とが面一となるように設けられている。そして、受止部２ｄの側方には、縦壁２ａの内面との間に間隙が形成され、この間隙が、前記縦壁２ａの内面長手方向に沿う差込部Ｓとなっている。もちろん、この差込部Ｓは、縦壁２ａの内面長手方向に連続的に形成されてもよいが、断続的に形成されてもよいし、あるいは、部分的に形成されてもよい。また、受止部２ｄの、前記後端面に連続する側面は、図２に明示するように、ダミー本体２の前方に向かうにつれて内側寄りに位置する傾斜面Ｋとなっているので、見本表示ラベル３を、ダミー本体２の後方からでも挿入し易くなっている。
【００２０】
見本表示ラベル３は、例えば、ポリエステルフィルム等の透明な合成樹脂フィルムからなり、図５に示すように、内面または外面に、タバコを包装する包装体としての箱と同様の文字や模様等が印刷されている。この見本表示ラベル３は、タバコ見本１の前面を形成する前部３ａと、その前部３ａから延設されるとともに、曲げられて周壁Ｗの内面に当接する延設部Ｅとを備える。詳細には、見本表示ラベル３の延設部Ｅは、前部３ａの左右の各端から延設されて、ダミー本体２の左右の縦壁２ａ、２ａの内面に当接する縦壁部３ｂ、３ｂと、前部３ａの上下の各端から延設されて、ダミー本体２の横壁２ｂ、２ｂの内面に当接する横壁部３ｃ、３ｃとからなる。そして、前部３ａだけでなく、左右の縦壁部３ｂ、３ｂおよび上下の横壁部３ｃ、３ｃにも、タバコを包装する包装体としての箱と同様の文字や模様等が印刷される。
【００２１】
また、延設部Ｅの横壁部３ｃ、３ｃには、ダミー本体２の上下の横壁２ａ、２ａに設けられた掛止突起２ｃ、２ｃに対応する位置に、その掛止突起２ｃ、２ｃによって掛け止められる被掛止孔３ｄ、３ｄが設けられている。また、見本表示ラベル３をダミー本体２から取り外し易くするために、延設部Ｅの上下の横壁部３ｃ、３ｃは、その延設された先端部が、ダミー本体２の周壁Ｗである横壁２ａ、２ａの後端よりも後方に突出している。
【００２２】
次に、以上の構成からなるタバコ見本１の作用効果について説明する。このタバコ見本１によると、見本表示ラベル３は、ダミー本体２の前方あるいは後方から挿入され、延設部Ｅに設けられた被掛止孔３ｄ、３ｄに、ダミー本体２に設けられた掛止突起２ｃ、２ｃを掛け止めすることで、ダミー本体２に簡単に取り付けられる。ここで、延設部Ｅの横壁部３ｂ、３ｂは、ダミー本体２の周壁Ｗの横壁２ｂ、２ｂに、掛止突起２ｃ、２ｃによって固定されるとともにその内面に当接し、かつ、延設部Ｅの縦壁部３ｂ、３ｂは周壁Ｗの縦壁２ａ、２ａの内面に当接するので、前部３ａおよび延設部Ｅの形状、すなわち見本表示ラベル３の形状は、容易に保持される。
【００２３】
また、見本表示ラベル３がダミー本体２に取り付けられた状態において、見本表示ラベル３の前部３ａは、タバコ見本１の前面を形成しているが、ダミー本体２は、前方が開放されているので、見本表示ラベル３の前部３ａは、ダミー本体２に遮られることがなく、このタバコ見本１は、視認性に優れている。また、ダミー本体２の周壁Ｗの前端が、見本表示ラベル３の前部３ａより後方に位置しているために、周壁Ｗが目立たないので、このタバコ見本１は、見栄えも優れている。その上、周壁Ｗの前端面２ｅ、２ｅが、前記周壁Ｗの内面から外面に向かうにつれて、その周壁Ｗの後端方向へ後退する傾斜面であることは、周壁Ｗの厚みを薄く見せる視覚効果を有しているため、周壁Ｗがさらに目立たなくなり、一層見栄えが優れている。さらには、前部３ａの形状が異なる見本表示ラベル３であっても、同一の形状からなるダミー本体２に、見栄えよく取り付けることが可能となる。すなわち、例えば、図１に示すような、前部は平面であり、その側端部は直角に折れ曲がった形状の見本表示ラベル３と、図８に示すような、前部は平面であり、その側端部はアール状に曲がった形状の見本表示ラベル３とを、同一形状のダミー本体２に、見栄えよく取り付けることが可能である。
【００２４】
また、見本表示ラベル３における延設部Ｅの縦壁部３ｂ、３ｂの先端は、ダミー本体２の縦壁２ａ、２ａの内面に設けられた受止部２ｄ、２ｄに受け止められるので、延設部Ｅの縦壁部３ｂ、３ｂは、ずれることがない。したがって、見本表示ラベル３は、所定の位置に確実に保持される。さらに、受止部２ｄが差込部Ｓを備えるので、延設部Ｅの縦壁部３ｂの先端は、その差込部Ｓに差し込まれ、ダミー本体２の内方に向かって閉じようとすることがない。したがって、延設部Ｅの縦壁部３ｂは、受止部２ｄから外れることがない。また、差込部Ｓは、周壁Ｗの縦壁２ａの内面に接するように、その長手方向に沿って設けられていることから、延設部Ｅの縦壁部３ｂは、周壁Ｗの縦壁２ａの内面に充分に当接する。これにより、見本表示ラベル３は、一層確実に保持される。さらに、延設部Ｅの上下の横壁部３ｃ、３ｃは、ダミー本体２の周壁Ｗの後端よりも後方に突出しているので、その突出部分を掴んで引っ張ることで、見本表示ラベル３をダミー本体２から容易に取り外すことが可能になっている。
【００２５】
また、ダミー本体２が透明体からなることから、見本表示ラベル３の延設部Ｅを、ダミー本体２の周壁Ｗを通して視認することができる。
【００２６】
なお、本発明は、上述した実施の形態に限定されるわけではなく、その他種々の変更が可能である。例えば、タバコ見本１は、自動販売機内に陳列されるものでなくとも、ショーケース内に陳列されるものであってもよい。また、タバコ見本１は、タバコが包装される包装体としての袋を模したものであってもよい。
【００２７】
また、掛止突起２ｃは、見本表示ラベル３を掛け止めるためのものであり、掛け止めることができれば、どのような形状であってもよい。また、その取り付け位置についても、上述の実施の形態においては、周壁Ｗの横壁２ｂ、２ｂの内面に設けられているが、周壁Ｗの縦壁２ａ、２ａの内面に設けられてもよいし、あるいは、縦壁２ａ、２ａおよび横壁２ｂ、２ｂの両周壁の内面に設けられてもよい。例えば、図６に示すように、矢印形状をした掛止突起２ｃが、周壁Ｗの縦壁２ａ、２ａの内面に設けられてもよい。
【００２８】
また、受止部２ｄは、ダミー本体２に掛け止められていない延設部Ｅが、ずれ動かないように設けられるものであって、周壁Ｗにおいて掛止突起２ｃが設けられていない周壁に設けられる。すなわち、例えば、一方の周壁Ｗである縦壁２ａ、２ａの内面に掛止突起２ｃが設けられる場合には、受止部２ｄは、他方の周壁Ｗである横壁２ｂ、２ｂの内面に設けられてもよいし、あるいは、見本表示ラベル３が保持されているのであれば、受止部２ｄは、必ずしも設ける必要はない。また、受止部２ｄは、延設部Ｅの先端を受け止めることができれば、どのような形状であってもよく、さらに、先端の全部を受け止めなくても、先端の一部を受け止めるように設けられてもよい。そして、差込部Ｓについても、それが必ずしも設けられる必要はない。例えば、図６に示すように、縦断面Ｌ字型の受止部２ｄが、上下の横壁２ｂ、２ｂの中央付近にのみ設けられてもよい。ここで、横壁２ｂと受止部２ｄとの間に形成される間隙が差込部Ｓを形成している。さらに、図７に示すように、横断面四角形の受止部２ｄが、左右の縦壁２ａ、２ａの上方および下方の二箇所に設けられてもよい。ここでは、受止部２ｄに、差込部Ｓは設けられていない。
【００２９】
また、ダミー本体２は、透明体からならなくとも、色彩を帯びた光透過体であってもよく、また、不透明体であってもよい。
【００３０】
また、見本表示ラベル３の延設部Ｅは、左右の縦壁部３ｂ、３ｂおよび上下の横壁部３ｃ、３ｃからなっているが、ダミー本体２の掛止突起２ｃが設けられた周壁Ｗに対応する位置にのみ設けられてもよい。例えば、掛止突起２ｃが周壁Ｗの上下の横壁２ｂ、２ｂの内面に備わるときには、延設部Ｅの左右の縦壁部３ｂ、３ｂは無くてもよく、また、掛止突起２ｃが、左右の縦壁２ａ、２ａの内面に備わるときは、延設部Ｅの上下の横壁部３ｃ、３ｃは無くてもよい。さらに、延設部Ｅは、その延設された先端部が周壁Ｗの後端よりも後方に突出しているが、必ずしも後方である必要はなく、例えば周壁Ｗの後端付近から内方に曲げられるように延びていてもよい（図７参照）。また、延設部Ｅは、その延設された先端部の全部が周壁Ｗの後方あるいは内方に突出している必要はなく、延設された先端部の少なくとも一部が突出していればよい。さらには、見本表示ラベル３の取り外しの容易性を特に考慮しなければ、延設部Ｅは、必ずしも周壁Ｗの後方あるいは内方に突出している必要はない。
【００３１】
また、被掛止孔３ｄの形状は、掛止突起２ｃの形状に合わせて適宜変更可能であり、特定の形状に限定されるものではない。
【００３２】
【発明の効果】
以上、詳述したところから明らかなように、本発明に係るタバコ見本によれば、次の効果がある。
【００３３】
請求項１に記載のタバコ見本によれば、見本表示ラベルの延設部に備わる被掛止孔を、ダミー本体の周壁に備わる掛止突起に掛け止めすることで、見本表示ラベルをダミー本体に容易に取り付けることができる。また、見本表示ラベルの延設部が、周壁の内面に当接するので、見本表示ラベルの形状を容易に保持できる。さらに、ダミー本体の前方が開放されていることから、見本表示ラベルの前部を遮るものがなく、その見本表示ラベルの視認性がよい。しかも、従来技術とは異なり、部品点数が少なくできるため、安価なタバコ見本の提供が可能となる。
【００３４】
請求項２に記載のタバコ見本によれば、加えて、ダミー本体周壁の前端部が、見本表示ラベルの前面に対して後方に位置するので、ダミー本体が目立たなくなり、タバコ見本の見栄えが優れたものになる。また、様々な形状の見本表示ラベルを、見栄えよく取り付けることが可能である。
【００３５】
請求項３に記載のタバコ見本によれば、加えて、ダミー本体の周壁の厚みを薄く見せる視覚効果を有するために、ダミー本体が一層目立たなくなり、タバコ見本の見栄えがより一層優れたものになる。
【００３６】
請求項４に記載のタバコ見本によれば、加えて、見本表示ラベルの延設部先端がダミー本体の周壁の内面に設けられた受止部によって、受け止められので、見本表示ラベルの延設部は、ずれることがないために、タバコ見本の形状は確実に保持される。
【００３７】
請求項５に記載のタバコ見本によれば、加えて、見本表示ラベルの延設部が、ダミー本体の周壁に充分に当接するために、タバコ見本の形状は、一層確実に保持される。
【００３８】
請求項６に記載のタバコ見本によれば、加えて、見本表示ラベルをダミー本体から取り外すにあたって、延設部の突出部分を引っ張ることで、見本表示ラベルをダミー本体から容易に取り外すことができる。
【００３９】
請求項７に記載のタバコ見本によれば、加えて、ダミー本体が透明体であることから、見本表示ラベルの延設部を、ダミー本体の周壁を通して視認することができる。
【００４０】
【図面の簡単な説明】
【図１】この発明に係るタバコ見本の一実施形態の斜視図である。
【図２】同じく、横断面図である。
【図３】同じく、ダミー本体の正面図である。
【図４】同じく、ダミー本体の斜視図である。
【図５】同じく、見本表示ラベルの展開正面図である。
【図６】この発明に係るタバコ見本の、他の実施形態の斜視図である。
【図７】この発明に係るタバコ見本のさらに他の実施形態における、背面から見た斜視図である
【図８】この発明に係るタバコ見本の、またさらに他の実施形態の斜視図である。
【図９】従来のタバコ見本を示す横断面図である。
【符号の説明】
１  タバコ見本                    ２  ダミー本体
２ａ  縦壁                        ２ｂ  横壁
２ｃ  掛止突起                    ２ｄ  受止部
２ｅ  前端面                      ３  見本表示ラベル
３ａ  前部                        ３ｂ  縦壁部
３ｃ  横壁部                      ３ｄ  被掛止孔
Ｅ  延設部                        Ｓ  差込部
Ｗ  周壁
【図１】
2004185304.tif 000003
【図２】
2004185304.tif 000004
【図３】
2004185304.tif 000005
【図４】
2004185304.tif 000006
【図５】
2004185304.tif 000007
【図６】
2004185304.tif 000008
【図７】
2004185304.tif 000009
【図８】
2004185304.tif 000010
【図９】
2004185304.tif 000011